(57)【特許請求の範囲】
【請求項１】
鏡面部の所定位置に配置され、前記鏡面部の垂線方向へ指向性の高い光を出射する点光源と、
前記点光源の正面位置に配置され前記点光源から出射された光を前記鏡面部に向けて反射する反射部と、同反射部により反射され前記鏡面部にて再反射された光の少なくとも一部を透過させる透過制御部とを有する前記点光源から出射される光の光軸方向に交叉して配置したシート体と、
同シート体を透過する光の出射方向前面に配置されたカバー板と、を備えた照明装置であって、
前記反射部は、前記点光源が出射する直接光が照射される前記シート体上の直接光領域よりも広く形成し、
前記透過制御部は、前記鏡面部にて再反射された光を再び鏡面部へ向けて反射する反射領域と、前記鏡面部にて反射された光を透過する透過領域とを有し、
同透過領域の縁部には、前記シート体の厚み方向内側面側略半部に前記鏡面部に対向する鏡面とされた内面側テーパー部を前記縁部の全周に亘って形成すると共に、前記シート体の厚み方向外側面側略半部に前記カバー板に対向する外面側テーパー部を前記縁部の全周に亘って形成したことを特徴とする照明装置。
【請求項２】
前記透過領域を前記光が透過する円形状の透孔とし、同透孔を前記点光源を中心とする放射状に配置すると共に、前記反射領域を、前記透孔以外の領域としたことを特徴とする請求項１に記載の照明装置。
【請求項３】
前記反射領域と前記透過領域とを前記点光源を中心とする同心円状に配置したことを特徴とする請求項１に記載の照明装置。
【発明の詳細な説明】
【技術分野】
【０００１】
本発明は、直視した場合でも眩しさを可及的抑制することのできる照明装置に関する。
【背景技術】
【０００２】
従来、所定の対象物を明るく照らすために、さまざまな照明装置が使用されている。
【０００３】
中でも、光源として高輝度のＬＥＤ素子を複数個アレイ状に集合させてパッケージングしてなるハイパワーＬＥＤを用いた照明装置は、従来のフィラメント型や蛍光型の光源に比して、少ない電力で大きな光量を得ることができるため、その利用範囲が年々増加してきている（例えば、特許文献１参照。）。
【先行技術文献】
【特許文献】
【０００４】
【特許文献１】特開２００８−００４５１９号公報
【発明の概要】
【発明が解決しようとする課題】
【０００５】
しかしながら、ハイパワーＬＥＤの如く指向性の高い光を出射する光源を備えた従来の照明装置は、光源方向に視線を向けた際に、極めて強い眩しさを感じてしまうという問題があった。
【０００６】
本発明は、斯かる事情に鑑みてなされたものであって、光源方向に視線を向けた場合であっても、眩しさを可及的抑制することのできる照明装置を提供する。
【課題を解決するための手段】
【０００７】
上記従来の課題を解決するために、請求項１に記載の照明装置では、鏡面部の所定位置に配置され、前記鏡面部の垂線方向へ指向性の高い光を出射する点光源と、前記点光源の正面位置に配置され前記点光源から出射された光を前記鏡面部に向けて反射する反射部と、同反射部により反射され前記鏡面部にて再反射された光の少なくとも一部を透過させる透過制御部とを有する前記点光源から出射される光の光軸方向に交叉して配置したシート体と、同シート体を透過する光の出射方向前面に配置されたカバー板と、を備えた照明装置であって、前記反射部は、前記点光源が出射する直接光が照射される前記シート体上の直接光領域よりも広く形成し、前記透過制御部は、前記鏡面部にて再反射された光を再び鏡面部へ向けて反射する反射領域と、前記鏡面部にて反射された光を透過する透過領域とを有し、同透過領域の縁部には、前記シート体の厚み方向内側面側略半部に前記鏡面部に対向する鏡面とされた内面側テーパー部を前記縁部の全周に亘って形成すると共に、前記シート体の厚み方向外側面側略半部に前記カバー板に対向する外面側テーパー部を前記縁部の全周に亘って形成した。
【０００９】
また、請求項２に記載の照明装置では、請求項１に記載の照明装置において、前記透過領域を前記光が透過する円形状の透孔とし、同透孔を前記点光源を中心とする放射状に配置すると共に、前記反射領域を、前記透孔以外の領域としたことに特徴を有する。
【００１０】
また、請求項３に記載の照明装置では、請求項１に記載の照明装置において、前記反射領域と前記透過領域とを前記点光源を中心とする同心円状に配置したことに特徴を有する。
【発明の効果】
【００１１】
請求項１に係る本発明では、鏡面部の所定位置に配置され、前記鏡面部の垂線方向へ指向性の高い光を出射する点光源と、前記点光源の正面位置に配置され前記点光源から出射された光を前記鏡面部に向けて反射する反射部と、同反射部により反射され前記鏡面部にて再反射された光の少なくとも一部を透過させる透過制御部とを有する前記点光源から出射される光の光軸方向に交叉して配置したシート体と、同シート体を透過する光の出射方向前面に配置されたカバー板と、を備えた照明装置であって、前記反射部は、前記点光源が出射する直接光が照射される前記シート体上の直接光領域よりも広く形成し、前記透過制御部は、前記鏡面部にて再反射された光を再び鏡面部へ向けて反射する反射領域と、前記鏡面部にて反射された光を透過する透過領域とを有し、同透過領域の縁部には、前記シート体の厚み方向内側面側略半部に前記鏡面部に対向する鏡面とされた内面側テーパー部を前記縁部の全周に亘って形成すると共に、前記シート体の厚み方向外側面側略半部に前記カバー板に対向する外面側テーパー部を前記縁部の全周に亘って形成したため、光源方向に視線を向けた場合であっても、眩しさを可及的抑制することのできる照明装置を提供することができる。
【００１２】
また、前記透過制御部は、前記鏡面にて再反射された光を再び鏡面へ向けて反射する反射領域と、前記鏡面にて反射された光を透過する透過領域とを有することとしたため、照明装置より出射される光は、少なくとも一度は反射部にて反射された光となり、可及的均等な光を対象物に照射することができる
【００１３】
また、請求項２に係る本発明では、前記透過領域を前記光が透過する円形状の透孔とし、同透孔を前記点光源を中心とする放射状に配置すると共に、前記反射領域を、前記透孔以外の領域としたため、複数回の反射で減衰されたやわらかな光を対象物に均一に照射することができ、しかも、照明装置の光の出射面に優れた意匠性を付与することができる。
【００１４】
また、請求項３に係る本発明では、前記反射領域と前記透過領域とを前記点光源を中心とする同心円状に配置したため、複数回の反射で減衰されたやわらかな光を対象物に均一に照射することができ、しかも、照明装置の光の出射面に優れた意匠性を付与することができる。
【図面の簡単な説明】
【００１５】
【図１】本実施形態に係る照明装置の外観を示した説明図である。
【図２】本実施形態に係る照明装置の構成を示した分解斜視図である。
【図３】シート体の構成を示した説明図である。
【図４】照明部での光の挙動を示した説明図である。
【図５】変形例に係るシート体の構成を示した説明図である。
【図６】変形例に係るシート体が配置された照明部での光の挙動を示した説明図である。
【図７】変形例に係るシート体の構成を示した説明図である。
【図８】他の実施形態に係る照明装置の構成を示した説明図である。
【図９】他の実施形態に係る照明装置の構成を示した説明図である。
【発明を実施するための形態】
【００１６】
本発明は、鏡面の所定位置に配置され、前記鏡面の垂線方向へ指向性の高い光を出射する点光源と、前記点光源から出射される光の光軸方向に交叉して配置され、前記点光源から出射された光を前記鏡面に向けて反射する反射部と、同反射部により反射され前記鏡面にて再反射された光の少なくとも一部を透過させる透過制御部とを有するシート体と、を備えた照明装置であって、前記反射部は、前記点光源の正面位置に配置されていることを特徴とする照明装置を提供するものである。
【００１７】
ここで点光源は、比較的指向性の高い光を出射する光源であれば特に限定されるものではなく、例えばＬＥＤ、より好ましくは高輝度のハイパワーＬＥＤを用いることができる。高輝度のハイパワーＬＥＤは、例えば、指向特性が100〜130度程度で、2500〜5000ルーメン程度の光束を出射するものを用いることができる。
【００１８】
特に、点光源を高輝度のハイパワーＬＥＤとした場合には、発光時における発熱量が多くなるため、放熱機構を取り付けるのが好ましい。このような構成とすることにより、ハイパワーＬＥＤの寿命をより長くすることができる。
【００１９】
また、点光源は鏡面の所定位置に配置される。すなわち、点光源は鏡面の所定位置に穿設した穴等から露出させて配置し、点光源の周辺は鏡面で囲まれるように構成している。
【００２０】
なお、点光源が配置される鏡面の所定位置は、特に限定されるものではない。例えば、点光源を１つだけ使用する場合には、所定形状の鏡面の略中心部に配置しても良い。また、点光源を２つ以上使用する場合には、各点光源間が均等となるような位置に配置しても良い。
【００２１】
また、点光源は、点光源から出射される光の指向方向が、鏡面の垂線方向となるように配置される。
【００２２】
ただし、ここで用いられる点光源は、出射された光が点光源を頂点とする比較的狭隘な円錐状の領域に広がるものを意図しているため、必ずしも全ての光が鏡面の垂線方向と平行に出射される必要はない。すなわち、本明細書における点光源は、例えばレーザ光の如く極めて直線性が高く、ほぼ垂線方向のみに出射されてしまう光を出射する光源を意図するものではない。
【００２３】
また、シート体は、反射部と、透過制御部とを備え、前記点光源から出射される光の光軸方向に交叉して配置している。
【００２４】
このシート体は、点光源から所定距離だけ離隔して配置され、点光源から出射された光のうち散乱光以外の光（以下、直接光ともいう。）を鏡面へ向けて反射できる位置に配置されていれば良いが、好ましくは、点光源から出射される光の光軸方向及び／又は鏡面の垂線方向とシート体の垂線方向とが平行となるように配置されるのが好ましい。
【００２５】
シート体の素材は、熱によって収縮や変形を来すものでなければ特に限定されるものではない。
【００２６】
また、本実施形態に係る照明装置では、シート体に設けられた反射部は、点光源の正面位置に配置することとしている。
【００２７】
このような構成とすることにより、点光源からの直接光を、効率良く鏡面へ向けて反射させることができ、照明装置の使用者が光源方向に視線を向けた場合であっても、強烈な眩しさを感じてしまうことを防止することができる。
【００２８】
また、点光源と対向する反射部の一側面には、所定の波長を選択して反射する波長選択性反射材を配置しても良い。このような構成とすることにより、点光源から出射された光のうち、所定の波長の光（所定の色の光）で対象物を照明することができる。
【００２９】
また、透過制御部は、反射部により反射され前記鏡面にて再反射された光の少なくとも一部を透過させる部位である。換言すれば、点光源から出射された光のうち、直接光以外の光を透過させる部位とも言える。
【００３０】
この透過制御部は、鏡面にて再反射された光を再び鏡面へ向けて反射する反射領域と、前記鏡面にて反射された光を透過する透過領域とを備えるように構成しても良い。付言すれば、透過制御部は、反射領域を設けることなく、鏡面にて反射された光を全て照明対象物に照射させても良く、また、鏡面にて反射された光の一部を照明対象物に照射させると共に、残部を再度反射領域で反射させた後に照明対象物に照射させるよう構成しても良い。
【００３１】
透過領域は、シート体に穿孔することで形成しても良く、また、点光源から出射される波長の光を透過可能な透明の樹脂等により形成しても良い。このように、透明な樹脂等の存在の有無に拘わらず、点光源から出射される光を透過させる孔状の部位を総称して透孔という。
【００３２】
透孔の形状は特に限定されるものではなく、例えば、円形や矩形、三角形、星形など平面視において所望の形状としても良い。透孔は点光源からの光の反射光が照明装置から出射される部位であるため、この透孔の平面視における形状を所望の形状とすることにより意匠性を向上させることができる。
【００３３】
また、透孔は透過制御部において所望の位置に適宜配置することが可能であるが、例えば、点光源から出射される光の光軸とシート体とが交わる点（以下、光軸交点とも言う。）を中心に反射部を除いて放射状に配置しても良い。
【００３４】
このような構成とすることにより、反射部にて反射された光を一部ずつ順次透孔より出射させることができるため、より均一な光を対象物に照射することができる。
【００３５】
また、透孔を放射状に設けた場合には、光軸に近い透孔から光軸に遠い透孔へ順次透孔の面積を大きくするよう構成しても良い。
【００３６】
このような構成とすることにより、光源から離れた位置の透孔からでも、多くの光を対象物に向けて出射させることができる。
【００３７】
また、透過制御部の反射領域と透過領域とは光軸交点を中心とする同心円状に配置しても良い。すなわち、所定半径で所定幅としたドーナツ状の反射領域と、同反射領域とは異なる半径で所定幅としたドーナツ状の透過領域とを交互に配置するよう構成しても良い。
【００３８】
このような構成とすることによっても、反射部にて反射された光を一部ずつ順次透過領域より出射させることができるため、より均一な光を対象物に照射することができる。
【００３９】
また、ドーナツ状の反射領域の幅は、光軸交点から遠ざかるにつれ、順次細幅に構成しても良い。このような構成とすることで、光軸交点から遠い位置であっても、反射量を減少させて透過量を増加させることができ、光量を点光源からの距離に拘わらず可及的均一とすることができる。
【００４０】
また、ドーナツ状の透過領域の幅は、光軸交点から遠ざかるにつれ、順次太幅に構成しても良い。この場合も同様に、光軸交点から遠い位置であっても、透過量を増加させることができ、光量を点光源からの距離に拘わらず可及的均一とすることができる。
【００４１】
なお、上記構成の組合せ、すなわち、ドーナツ状の反射領域の幅は、光軸交点から遠ざかるにつれ、順次細幅に構成し、ドーナツ状の透過領域の幅は、光軸交点から遠ざかるにつれ、順次太幅に構成しても良く、この場合、出射される光量をより均一とすることができる。
【００４２】
以下、本実施形態に係る照明装置Ａについて、図面を参照しながら更に具体的に説明する。図１は本実施形態に係る照明装置の外観を示した説明図であり、図２は照明装置の構成を示した分解斜視図である。
【００４３】
図１に示すように、本実施形態に係る照明装置Ａは、劇場やコンサート等のステージ上で光を照射するために用いられるものであり、ステージ上の人物やセット等の照明対象物へ向けて光を照射する外観略円柱状の装置本体１と、同装置本体１を天井に吊り下げて配設するための吊り金具２とで構成している。
【００４４】
この吊り金具２は、天井に取付固定される取付座部３と、同取付座部３に水平回動軸４を介して当該水平回動軸４の軸線廻りに回転自在に取り付けられた門型フレーム５とで構成しており、門型フレーム５の左右両下端部は、垂直揺動軸７を備えた垂直揺動部６を介して装置本体１の左右両側にそれぞれ揺動自在に連結されている。
【００４５】
したがって、この吊り金具２により装置本体１は、水平回動軸４により左右方向へ、また、門型フレーム５の両端に設けた垂直揺動部６の垂直揺動軸７により上下方向へ首振り可能としている。
【００４６】
装置本体１は、図２に示すように、照明対象物に対して照射する光を出射する照明部１０と、照明部１０に電力を供給する電源部１１と、照明部１０や電源部１１にて発せられた熱を放熱する放熱体１２とで構成している。
【００４７】
照明部１０は、光源部１３を備えた光源ステー１４と、光源部１３の光出射方向前面に配置されたシート体１５と、シート体１５の更に前面に配置されたカバー板１６と、前記シート体１５及びカバー板１６を一体的に光源ステー１４に取り付けるためのリング体１７とで構成している。
【００４８】
光源ステー１４は、外観略円柱状の形状を有しており、その円形状平面を有する端面の略中央部に光を出射する点光源としての光源部１３が備えられている。
【００４９】
また、光源部１３が備えられた円形状平面の縁部には壁部１８が形成されており、同壁部１８の外周面には雄ネジ溝１９が形成されている。
【００５０】
光源部１３は、高輝度のＬＥＤ素子を複数個アレイ状に集合させてパッケージングしてなるハイパワーＬＥＤとしており、電源部１１より電力が供給されることにより、指向性の高い光が前記円形状平面の垂線方向を光軸として出射されるよう配置している。
【００５１】
また、円形状平面上の光源部１３が配置された周辺部は、光を効率良く反射する鏡面部２０としている。
【００５２】
シート体１５は、図３に示すように、正面視において略中央部に設けられ、図中において破線で囲まれる透孔２３が形成されていない反射部２１と、同反射部２１の外側の長破線間で挟まれたドーナツ状の領域であり、複数の透孔２３が設けられている透過制御部２２とで構成している。なお、図３は、光源部１３側から見たシート体１５を示しており、網掛けにて示す部位は鏡面加工が施されていることを示している。
【００５３】
反射部２１は、光源部１３より出射された光を光源ステー１４の鏡面部２０に向けて反射する部位であり、光源部１３の正面位置に配置されている。反射部２１の光源部１３に対向する面は、全面に亘って鏡面加工が施されている。また、反射部２１の大きさは、光源部１３より出射された光（直接光）がシート体１５に当たる領域よりも広く形成している。
【００５４】
透過制御部２２は、反射部２１により反射され鏡面部２０にて再反射された光の少なくとも一部を透過させる部位であり、鏡面部２０にて再反射された光を再び鏡面部２０へ向けて反射する反射領域２４と、鏡面部２０にて反射された光を透過する透過領域２５とで構成している。なお、本実施形態においてシート体１５の透過領域２５は、シート体１５に穴を穿設することで形成した透孔２３により実現されているが、これに限定されるものではなく、光が透過可能な透明の樹脂等によって形成されていても良い。
【００５５】
図２の説明に戻り、カバー板１６は、シート体１５の透過領域２５を透過した光を透過可能な透明樹脂にて形成された円板状の部材であり、使用者がシート体１５に直接触れぬようシート体１５を保護する役割を有している。
【００５６】
リング体１７は、略円筒状の形状を有する部材である。リング体１７の内周面には、光源ステー１４の雄ネジ溝１９に螺合する雌ネジ溝２６が形成されており、リング体１７内にカバー板１６及びシート体１５を重ねて収容し、リング体１７を光源ステー１４に螺合させることにより、照明部１０が一体的に形成される。
【００５７】
電源部１１は照明部１０に電力を供給する部位であり、図示しない電源ケーブル等によって、光源部１３に接続されている。また、電源部１１の内部には、光源部１３を駆動する駆動回路等が収容されており、同電源部１１に備えられたスイッチ（図示せず）をＯＮ動作することにより、光源部１３が点灯するよう構成している。なお、装置本体１は、電源部１１に内蔵されたバッテリーにより駆動するよう構成しても良く、また、外部電源（例えば、AC100V）を電源部１１内に設けた降圧回路にて電圧変換して駆動するよう構成しても良い。
【００５８】
放熱体１２は、光源部１３の発光時に生じる熱や、電源部１１にて発生する熱を逃がすための部材であり、複数の放熱フィン２７が設けられている。
【００５９】
また、放熱体１２の左右両側面部には、門型フレーム５を取り付けるための垂直揺動台座２８が形成されており、前述の垂直揺動軸７を介して装置本体１が垂直方向に首振り可能に構成している。すなわち、垂直揺動部６は、門型フレーム５の左右両下端部と、垂直揺動軸７と、垂直揺動台座２８とにより構成される。
【００６０】
このような構成を備える装置本体１において、電源部１１に備えられたスイッチをＯＮ動作して光源部１３を点灯すると、図４に示すように、光源部１３より出射された光は、まず、シート体１５の反射部２１に至る。
【００６１】
ここで、光源部１３より出射された光は高い指向性を有するため、ほぼ全ての光（直接光）は、光源部１３の直正面に対向する反射部２１上の所定の領域に至ることとなる。なお、以下の説明において、直接光が当たる反射部２１上の領域を直接光領域Ｓという。
【００６２】
反射部２１は、前述したように直接光領域Ｓよりも広く形成されているため、直接光のほぼ全ては反射部２１によって反射され、鏡面部２０へ向かうこととなる。換言すれば、直接光は、照明部１０より出射されず、例えば使用者が光源部１３の方向を直視したとしても、直接光が視認されることはない。これにより、使用者が強烈な眩しさを感じてしまうことを防止することができる。
【００６３】
また、鏡面部２０に到達した光はそれぞれの反射角で再び反射されシート体１５へ向かうこととなるが、図４中において光源部１３よりも左側に一点鎖線で示した光のように、透過領域２５に至った光は、そのまま照明部１０より出射され、対象物を照射することとなる。
【００６４】
また、図４中において光源部１３よりも右側に一点鎖線で示した光のように、シート体１５の反射領域２４に至った光は、再度鏡面部２０へ向けて反射されることとなる。このような光もまた、シート体１５と鏡面部２０との間で複数回反射が繰り返されることにより、いずれ透過領域２５に到達し照明部１０より出射されることとなる。
【００６５】
このように、本実施形態に係る照明装置Ａでは、上述の構成としているため、光源部１３より出射された直接光は、反射部２１により遮られることとなるため、光源方向に視線を向けた場合であっても、眩しさを可及的抑制することができる。
【００６６】
しかも、光源部１３から出射された光は、一度反射部２１にて反射された後に出射されることとなり、照明部１０より出射される光をやわらかな光とすることができて、眩しさを可及的抑制することが可能となる。
【００６７】
次に、シート体を変形した例について、以下第１変形例として図５及び図６を参照しながら説明する。なお、以下の説明において前述の構成と同様の構成については同じ符号を付して説明を省略する。
【００６８】
本第１変形例に係るシート体３０は、図５に示すように、前述のシート体１５と略同様の構成としているが、透過領域２５としての透孔２３を、反射部２１を除く部位に光軸交点Ｐを中心として放射状に配置している点で構造を異にしている。
【００６９】
また、図６に示すように、光軸交点Ｐから半径方向外方へ離れるに従い、透孔２３の孔径がそれぞれｄ＜ｅ＜ｆ＜ｇ＜ｈの様に順次大きくなっている点や、透孔２３の縁部にテーパーを形成している点にも特徴を有している。なお、図５は、光源部１３側から見たシート体３０を示しており、網掛けにて示す部位は鏡面加工が施されていることを示している。
【００７０】
このような構成とすることにより、図６（ａ）に示すように、反射部２１にて反射された光を一部ずつ順次透孔２３より出射させることができるため、より均一な光を対象物に照射することができる。
【００７１】
また、光軸交点Ｐに近い透孔２３から遠い透孔２３へ順次透孔２３の面積を大きくするよう構成しているため、光源部１３から離れた位置の透孔２３からでも、多くの光を対象物に向けて出射させることができる。
【００７２】
また、図６（ｂ）に示すように、透孔２３の縁部に、鏡面部２０に対向する内面側テーパー部３１と、カバー板１６に対向する外面側テーパー部３２とが形成されており、内面側テーパー部３１には鏡面加工が施されている。
【００７３】
したがって、光Ｌの如く鏡面部２０にて反射された光が内面側テーパー部３１に至ると、反射領域２４の平面部３３に至った同じ角度の光Ｌ’とは異なる角度で鏡面部２０へ向けて反射されることとなり、より複雑な乱反射を生起して、透孔２３より出射される光をよりやわらかな光とすることができる。換言すれば、複数回の反射で減衰されたやわらかな光を対象物に均一に照射することができる。
【００７４】
また、透孔２３の縁部には外面側テーパー部３２が設けられているため、外面側テーパー部３２を設けない場合に比して透孔２３に至った光Ｍを透孔２３の縁部で阻害することなく透過させることができ、より効率良く光を出射させることができる。
【００７５】
また、照明装置Ａの光の出射面に優れた意匠性を付与することができる。
【００７６】
次に、シート体を変形した更なる例について、以下第２変形例及び第３変形例として図７を参照しながら説明する。
【００７７】
図７（ａ）に示すシート体４０は、光源部１３の直前面に配設される反射部２１を備えると共に、透過制御部２２において、反射領域２４と透過領域２５とを光軸交点Ｐを中心とする同心円状に配置した点に特徴を有している。
【００７８】
また、透過領域２５の幅は、光軸交点Ｐから遠ざかるにつれ、順次太幅に構成している。このような構成とすることにより、前述のシート体３０と略同様、複数回の反射で減衰されたやわらかな光を対象物に均一に照射することができ、しかも、光軸交点Ｐから遠い位置であっても、透過量を増加させることができ、光源部１３からの距離に拘わらず光量を可及的均一とすることができる。また、照明装置の光の出射面に優れた意匠性を付与することができる。
【００７９】
図７（ｂ）に示すシート体５０は、光源部１３の直前面に配設される反射部２１を備えると共に、透過制御部２２は透過領域２５のみで構成した点に特徴を有している。
【００８０】
このような構成によれば、光源部１３からの直接光が照明部１０より出射されることがないため、光源方向に視線を向けた場合であっても、眩しさを可及的抑制することができる。
【００８１】
次に、他の実施形態に係る照明装置Ｂについて、図８を参照しながら説明する。図８は、他の実施形態に係る照明装置Ｂを斜め下方より見た状態を示す説明図である。
【００８２】
照明装置Ｂは、前述の照明装置Ａと略同様の構成としているが、天井より吊り下げて、床面方向を照明するのに用いられるダウンライトとしている点で構造を異にしている。
【００８３】
すなわち、照明装置Ｂは、床面に対向した状態で配設された照明部１０と、照明部１０に供給する電力の電圧変換を行う図示しない電源部と、同電源部の周囲を囲繞する放熱体１２とを備えた截頭円錐形状としており、截頭部６１から上方へ伸延する電源ケーブル６０により電力が供給されるよう構成している。
【００８４】
このような構成を備える照明装置Ｂによっても、例えば、使用者が見上げることによって光源方向に視線を向けた場合であっても、眩しさを可及的抑制することができる。
【００８５】
次に、更なる他の実施形態に係る照明装置Ｃについて、図９を参照しながら説明する。図９（ａ）は照明装置Ｃを斜め下方より見た状態を示す説明図であり、図９（ｂ）は照明装置Ｃの分解斜視図である。
【００８６】
図９（ａ）に示す照明装置Ｃは、天井面に設置して床面方向を照明するために用いられるものであり、その照明部７０に備えられたシート体７１には、図５に示した透過領域２５が放射状に配置された調光パターン７２が４つ形成されており、それぞれの調光パターン７２から光が出射されるよう構成している。
【００８７】
具体的には、照明装置Ｃは、所定間隔を隔てて配置された４つの光源部１３を備える光源ステー７４と、４つの調光パターン７２が形成されたシート体７１と、同シート体７１を保護するためのカバー板７３とで構成されており、シート体７１と、カバー板７３とは、光源ステー７４に備えられた矩形状の外枠体７５に取り付けられるよう構成している。
【００８８】
また、シート体７１の各調光パターン７２における反射部２１は、光源ステー７４に備えられた各光源部１３の直正面に対向するよう配置されており、それぞれの調光パターン７２において、前述の図５に示したシート体と同様の効果が得られるようにしている。
【００８９】
このような構成を備える照明装置Ｃによれば、例えば寝室や病室などの部屋において、仰向けの状態で横臥する人がいた場合であっても、この人が眩しいと感じてしまうことを可及的抑制しながら、部屋を照明することができる。
【００９０】
上述してきたように、本実施形態に係る照明装置によれば、鏡面（例えば、鏡面部２０）の所定位置に配置され、前記鏡面の垂線方向へ指向性の高い光を出射する点光源（例えば、光源部１３）と、前記点光源から出射される光の光軸方向に交叉して配置され、前記点光源から出射された光を前記鏡面に向けて反射する反射部（例えば、反射部２１）と、同反射部により反射され前記鏡面にて再反射された光の少なくとも一部を透過させる透過制御部（例えば、透過制御部２２）とを有するシート体（例えば、シート体１５）と、を備えた照明装置であって、前記反射部は、前記点光源の正面位置に配置されていることとしたため、光源方向に視線を向けた場合であっても、眩しさを可及的抑制することのできる照明装置とすることができる。
【００９１】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。
【００９２】
例えば、内面側テーパー部３１や外面側テーパー部３２は、シート体３０を代表例として説明したが、これに限定されるものではなく、例えば、シート体１５,４０,５０,７１等に適用しても良い。
【符号の説明】
【００９３】
１０  照明部
１１  電源部
１３  光源部
１４  光源ステー
１５  シート体
１６  カバー板
２０  鏡面部
２１  反射部
２２  透過制御部
２３  透孔
２４  反射領域
２５  透過領域
３０  シート体
４０  シート体
５０  シート体
７０  照明部
７１  シート体
７２  調光パターン
Ａ  照明装置
Ｂ  照明装置
Ｃ  照明装置
Ｐ  光軸交点
【図１】
0005931365.tif 000002
【図２】
0005931365.tif 000003
【図３】
0005931365.tif 000004
【図４】
0005931365.tif 000005
【図５】
0005931365.tif 000006
【図６】
0005931365.tif 000007
【図７】
0005931365.tif 000008
【図８】
0005931365.tif 000009
【図９】
0005931365.tif 000010